(57)【特許請求の範囲】
【請求項１】
折版構造屋根のハゼ部に取り付ける金具本体の上部に、ソーラーパネルや融雪装置やそれらの取付用ラックなどの設置物を取付する取付ボルトを突設し、この金具本体下部の左右両側部に、前記折版構造屋根のハゼ部を挟持する挟持部を左右対向状態に設けると共に、この各挟持部間に締付ボルトを架設してこの締付ボルトを締付回動若しくはこの締付ボルトに螺着したナットを締付回動して各挟持部間を幅狭くすることで、各挟持部の対向間隔を狭めて前記ハゼ部を締付挟持して固定し得るように構成した折版構造屋根用の設置物取付金具において、前記取付ボルトは、前記金具本体の上部に貫通形成した取付孔に対して、この金具本体の下方からボルト先端を挿脱自在に挿通することで、この取付ボルトのボルト先端が金具本体の上部より立設突設すると共に、この取付ボルトのボルト頭部が金具本体の上部裏面側に配置するように構成し、この金具本体の上部裏面側に配置する取付ボルトのボルト頭部を回り止め状態に支持する回り止め金具を前記各挟持部間に配設すると共に、この回り止め金具に各挟持部間に架設した前記締付ボルトを貫通せしめることで、この回り止め金具を各挟持部間に位置決めする構成としたことを特徴とする折版構造屋根用の設置物取付金具。
【請求項２】
前記締付ボルトは、前記取付ボルトの略真下に配置する構成として、この取付ボルトを前記取付孔から下方へ挿脱する際に取付ボルトが締付ボルトに接触して落下阻止される構成としたことを特徴とする請求項１記載の折版構造屋根用の設置物取付金具。
【請求項３】
前記回り止め金具は、前記取付ボルトのボルト頭部を回り止め状態に支持する頭部支持部の下方に、前記各挟持部間に架設した前記締付ボルトを貫通するボルト貫通部を設けた構成としたことを特徴とする請求項１，２のいずれか１項に記載の折版構造屋根用の設置物取付金具。
【請求項４】
前記回り止め金具は、前記金具本体の前記取付孔と連通して前記取付ボルトを挿通し得る連通孔を備えた基体の対向両側に、前記取付ボルトのボルト頭部を挟持して取付ボルトを回り止め状態に支持する頭部支持部を略垂設状態に設け、この各頭部支持部を避けた基体の他の対向両側に、前記各挟持部間に架設した前記締付ボルトを貫通するボルト貫通部を、前記頭部支持部より下方へ略垂設状態に設けたことを特徴とする請求項１〜３のいずれか１項に記載の折版構造屋根用の設置物取付金具。
【請求項５】
前記回り止め金具は、前記金具本体の前記各挟持部間に配設して、この回り止め金具の上部を金具本体の上部裏面側に重合した状態で前記締付ボルトを貫通せしめて位置決めする構成とし、この回り止め金具の上部の左右幅寸法を、金具本体の上部裏面の左右幅寸法と略合致する幅寸法に設定したことを特徴とする請求項１〜４のいずれか１項に記載の折版構造屋根用の設置物取付金具。
【請求項６】
前記金具本体は、板材を略コ字状に折曲形成して構成して、その中間板部を金具本体の上部たる天板部としてこの天板部に前記取付孔を貫通形成すると共に、左右両側の折曲板部を前記挟持部としてこの各挟持部間に前記締付ボルトを架設し、この各挟持部間に前記回り止め金具を配設して、この回り止め金具の上部を前記天板部の裏面に重合した状態でこの回り止め金具に前記締付ボルトを貫通せしめて位置決めする構成とし、この回り止め金具の上部の左右幅寸法を、前記天板部裏面の左右幅寸法と略合致する幅寸法に設定して、この回り止め金具の上部を天板部の裏面に重合すると、この回り止め金具の上部の左右側縁部が、前記天板部と前記各挟持部の境目の折縁の位置に配置する構成としたことを特徴とする請求項１〜５のいずれか１項に記載の折版構造屋根用の設置物取付金具。
【請求項７】
前記回り止め金具に装着することで、径の異なる前記取付ボルトのボルト頭部を回り止め状態に支持可能となる補助金具を備えたことを特徴とする請求項１〜６のいずれか１項に記載の折版構造屋根用の設置物取付金具。
【発明の詳細な説明】
【技術分野】
【０００１】
本発明は、折版構造屋根上にソーラーパネルや融雪装置やそれらの取付用ラックなどの設置物を取付するための折版構造屋根用の設置物取付金具に関するものである。
【背景技術】
【０００２】
従来から、屋根上にソーラーパネルや融雪装置などの設置物を設置するための設置物取付金具が実施されている。
【０００３】
一般的な設置物取付金具は、屋根上に固定可能な固定機構を備えた金具本体の上部に取付ボルトを立設した構成となっていて、この取付ボルトに直接あるいは他の金具などを介して間接的に設置物を取付できるように構成されている（例えば、特許文献１参照。）。
【０００４】
また、この種の設置物取付金具に採用される取付ボルトは、規格化されていて、一般的に１０ｍｍ径サイズと８ｍｍ径サイズの二種類が用いられているが、従来、金具本体に対し取付ボルトが着脱自在に設けられ、径の異なる二種類の取付ボルトを用途に応じて交換可能とすることで実用性を向上させた設置物取付金具も実施されている。
【０００５】
【特許文献１】特開２０００−２３４４２３号公報
【発明の開示】
【発明が解決しようとする課題】
【０００６】
ところが、取付ボルトを交換可能な設置物取付金具は、金具本体に対して取付ボルトが着脱可能な構造上、この取付ボルトが金具本体に回り止めされておらず、例えば、設置物取付時に取付ボルトに対しナットや金具などを螺着しようとすると、取付ボルトが空回りしてしまって作業性が悪いという問題点があった。
【０００７】
本発明は、この点、取付ボルトを交換可能な構成にして、この取付ボルトを金具本体に対し確実な回り止め状態にできて取付ボルトへのナットなどの螺着脱作業を容易に行うことができる画期的な折版構造屋根用の設置物取付金具を提供するものである。
【課題を解決するための手段】
【０００８】
添付図面を参照して本発明の要旨を説明する。
【０００９】
折版構造屋根１のハゼ部２に取り付ける金具本体３の上部に、ソーラーパネルや融雪装置やそれらの取付用ラックなどの設置物５を取付する取付ボルト６を突設し、この金具本体３下部の左右両側部に、前記折版構造屋根１のハゼ部２を挟持する挟持部７を左右対向状態に設けると共に、この各挟持部７間に締付ボルト８を架設してこの締付ボルト８を締付回動若しくはこの締付ボルト８に螺着したナット９を締付回動して各挟持部７間を幅狭くすることで、各挟持部７の対向間隔を狭めて前記ハゼ部２を締付挟持して固定し得るように構成した折版構造屋根用の設置物取付金具において、前記取付ボルト６は、前記金具本体３の上部に貫通形成した取付孔10に対して、この金具本体３の下方からボルト先端を挿脱自在に挿通することで、この取付ボルト６のボルト先端が金具本体３の上部より立設突設すると共に、この取付ボルト６のボルト頭部６Ａが金具本体３の上部裏面側に配置するように構成し、この金具本体３の上部裏面側に配置する取付ボルト６のボルト頭部６Ａを回り止め状態に支持する回り止め金具11を前記各挟持部７間に配設すると共に、この回り止め金具11に各挟持部７間に架設した前記締付ボルト８を貫通せしめることで、この回り止め金具11を各挟持部７間に位置決めする構成としたことを特徴とする折版構造屋根用の設置物取付金具に係るものである。
【００１０】
また、前記締付ボルト８は、前記取付ボルト６の略真下に配置する構成として、この取付ボルト６を前記取付孔10から下方へ挿脱する際に取付ボルト６が締付ボルト８に接触して落下阻止される構成としたことを特徴とする請求項１記載の折版構造屋根用の設置物取付金具に係るものである。
【００１１】
また、前記回り止め金具11は、前記取付ボルト６のボルト頭部６Ａを回り止め状態に支持する頭部支持部12の下方に、前記各挟持部７間に架設した前記締付ボルト８を貫通するボルト貫通部13を設けた構成としたことを特徴とする請求項１，２のいずれか１項に記載の折版構造屋根用の設置物取付金具に係るものである。
【００１２】
また、前記回り止め金具11は、前記金具本体３の前記取付孔10と連通して前記取付ボルト６を挿通し得る連通孔14を備えた基体11Ａの対向両側に、前記取付ボルト６のボルト頭部６Ａを挟持して取付ボルト６を回り止め状態に支持する頭部支持部12を略垂設状態に設け、この各頭部支持部12を避けた基体11Ａの他の対向両側に、前記各挟持部７間に架設した前記締付ボルト８を貫通するボルト貫通部13を、前記頭部支持部12より下方へ略垂設状態に設けたことを特徴とする請求項１〜３のいずれか１項に記載の折版構造屋根用の設置物取付金具に係るものである。
【００１３】
また、前記回り止め金具11は、前記金具本体３の前記各挟持部７間に配設して、この回り止め金具11の上部を金具本体３の上部裏面側に重合した状態で前記締付ボルト８を貫通せしめて位置決めする構成とし、この回り止め金具11の上部の左右幅寸法を、金具本体３の上部裏面の左右幅寸法と略合致する幅寸法に設定したことを特徴とする請求項１〜４のいずれか１項に記載の折版構造屋根用の設置物取付金具に係るものである。
【００１４】
また、前記金具本体３は、板材３Ａを略コ字状に折曲形成して構成して、その中間板部を金具本体３の上部たる天板部４としてこの天板部４に前記取付孔10を貫通形成すると共に、左右両側の折曲板部を前記挟持部７としてこの各挟持部７間に前記締付ボルト８を架設し、この各挟持部７間に前記回り止め金具11を配設して、この回り止め金具11の上部を前記天板部４の裏面に重合した状態でこの回り止め金具11に前記締付ボルト８を貫通せしめて位置決めする構成とし、この回り止め金具11の上部の左右幅寸法を、前記天板部４裏面の左右幅寸法と略合致する幅寸法に設定して、この回り止め金具11の上部を天板部４の裏面に重合すると、この回り止め金具11の上部の左右側縁部が、前記天板部４と前記各挟持部７の境目の折縁３Ｂの位置に配置する構成としたことを特徴とする請求項１〜５のいずれか１項に記載の折版構造屋根用の設置物取付金具に係るものである。
【００１５】
また、前記回り止め金具11に装着することで、径の異なる前記取付ボルト６のボルト頭部６Ａを回り止め状態に支持可能となる補助金具15を備えたことを特徴とする請求項１〜６のいずれか１項に記載の折版構造屋根用の設置物取付金具に係るものである。
【発明の効果】
【００１６】
本発明は上述のように構成したから、折版構造屋根のハゼ部を締付挟持して容易に折版構造屋根上に固定でき、また、設置物取付用の取付ボルトは、異なる径のものに交換したり、劣化あるいは損傷したものを新しいものに交換することもでき、しかも、この取付ボルトは、交換可能な構成でありながら締付ボルトによって位置決めした回り止め金具で確固な回り止め状態に支持しているので、この取付ボルトに対するナットや各種取付金具などの螺着作業を容易に行うことができて、ソーラーパネルや融雪装置やそれらの取付用ラックなどの設置物を折版屋根上に簡単に取付可能となるなど、極めて実用性に秀れた画期的な折版構造屋根用の設置物取付金具となる。
【００１７】
また、請求項２記載の発明においては、取付ボルトにナットや各種取付金具などを螺着する際や、金具本体に対し取付ボルトを着脱する際に取付ボルトが不意に落下してしまうことが確実に阻止される一層作業性に秀れ、実用性に秀れた折版構造屋根用の設置物取付金具となる。
【００１８】
また、請求項３，４記載の発明においては、前記作用・効果を確実に発揮する回り止め金具を簡易構成により容易に設計実現可能となる一層実用性に秀れた折版構造屋根用の設置物取付金具となる。
【００１９】
また、請求項５，６記載の発明においては、金具本体の上部（天板部）に歪みや変形を生じにくく、これにより取付ボルトが傾きを生じにくいため、計画した通りに設置物を施工することが可能で、施工の安定化が実現することになり、しかも、請求項６記載の発明においては、折版構造屋根のハゼ部に挟持固定する金具本体を簡易に設計実現可能となるなど、一層実用的となる。
【００２０】
また、請求項７記載の発明においては、径の異なる取付ボルトに交換しても、交換した取付ボルトを確実に回り止め状態に支持することができる一層実用性に秀れた構成の折版構造屋根用の設置物取付金具となる。
【発明を実施するための最良の形態】
【００２１】
好適と考える本発明の実施形態（発明をどのように実施するか）を、図面に基づいて本発明の作用を示して簡単に説明する。
【００２２】
本発明品の左右の挟持部７間に折版構造屋根１のハゼ部２を配設し、各挟持部７間に架設した締付ボルト８を締付回動若しくはこの締付ボルト８に螺着したナット９を締付回動すると、各挟持部７の対向間隔が狭められて前記ハゼ部２を締付挟持し、本発明品が折版構造屋根１上に固定される。
【００２３】
この折版構造屋根１上に固定した本発明品の上部に突設する取付ボルト６を利用して、ソーラーパネルや融雪装置やそれらの取付用ラックなどの設置物５を折版屋根１上に取付できる。
【００２４】
また、この際、取付ボルト６は、金具本体３の上部裏面側に配置するボルト頭部６Ａが回り止め金具11によって回り止め状態に支持されており、この回り止め金具11も、この回り止め金具11を貫通する前記締付ボルト８によって各挟持部７間に位置決めされているので、この位置決めされた回り止め金具11によって取付ボルト６が確固な回り止め状態に支持されていて、ナットや各種取付金具などの螺着作業時に空回りを生じず、よってこの螺着作業が容易に行われて設置物５を容易に取付できることになる。
【００２５】
また、取付ボルト６は、金具本体３の上部に貫通形成した取付孔10に対して、この金具本体３の下方からボルト先端を挿脱自在に挿通することで金具本体３の上部よりこのボルト先端を立設突設する構造上、この取付ボルト６を、取付孔10から下方へ挿脱して取り外すこともできる。従って、取付ボルト６を異なる径のものに交換したり、劣化あるいは損傷した取付ボルト６を新しいものに交換することも可能である。
【００２６】
また、例えば、前記締付ボルト８は、前記取付ボルト６の略真下に配置する構成として、この取付ボルト６を前記取付孔10から下方へ挿脱する際に取付ボルト６が締付ボルト８に接触して落下阻止される構成とすれば、取付ボルト６にナットや各種取付金具などを螺着する際や、金具本体３に対し取付ボルト６を着脱する際に取付ボルト６が不意に落下してしまうことが確実に阻止されるので、一層作業性に秀れることとなる。
【００２７】
また、例えば、後述する実施例の項で示したように、金具本体３を一枚の板材３Ａで構成すると共にこの板材３Ａをコ字状に折曲形成することで天板部４（上部）の左右両側に各挟持部７を有する形状とすると、ハゼ部２に挟持固定する金具本体３を簡易に設計実現可能であるが、このように構成した場合には、各挟持部７間を幅狭くする際に天板部４にまで歪みや変形を生じてしまうことがあり、これが原因で取付ボルト６が傾いて計画通りに設置物５を取付できなくなってしまう懸念がある。
【００２８】
しかし、例えば、前記回り止め金具11を、前記金具本体３の前記各挟持部７間に配設して、この回り止め金具11の上部を金具本体３の上部裏面側に重合した状態で前記締付ボルト８を貫通せしめて位置決めする構成とし、この回り止め金具11の上部の左右幅寸法を、金具本体３の上部裏面の左右幅寸法と略合致する幅寸法に設定すれば、回り止め金具11の上部を金具本体３の上部裏面側に重合した際に、回り止め金具11の左右側縁部が天板部４と各挟持部７との境目の折縁３Ｂに位置することとなって、締付ボルト８により各挟持部７間を幅狭くした際にはこの回り止め金具11の側縁部が折縁３Ｂを支持するように作用するので、この折縁３Ｂでの折曲動作が確実に行われて天板部４に歪みや変形を生じにくく、これにより天板部４に対し取付ボルト６が傾きを生じにくいため、計画した通りに設置物５を施工することが可能で、施工の安定化が実現することになる。
【００２９】
また、例えば、前記回り止め金具11に装着することで、径の異なる前記取付ボルト６のボルト頭部６Ａを回り止め状態に支持可能となる補助金具15を備えれば、径の異なる取付ボルト６に交換しても、交換した取付ボルト６を確実に回り止め状態に支持することができる構成を簡易に設計実現可能となる。
【実施例】
【００３０】
本発明の具体的な実施例について図面に基づいて説明する。
【００３１】
本実施例は、折版構造屋根１のハゼ部２に取り付ける金具本体３の上部に、ソーラーパネルや融雪装置やそれらの取付用ラックなどの設置物５を取付する取付ボルト６を突設し、この金具本体３下部の左右両側部に、前記折版構造屋根１のハゼ部２を挟持する挟持部７を左右対向状態に設けると共に、この各挟持部７間に締付ボルト８を架設してこの締付ボルト８に螺着したナット９を締付回動して各挟持部７間を幅狭くすることで、各挟持部７の対向間隔を狭めて前記ハゼ部２を締付挟持して固定し得るように構成した折版構造屋根用の設置物取付金具であって、例えば、図１に示すように、本金具を複数折版構造屋根１上に固定し、この複数の金具の取付ボルト６を利用して大型のソーラーパネルなどを固定できるものである。
【００３２】
具体的には、本実施例の金具本体３は、図２〜図５に示すように、一枚の板材３Ａを略コ字状に折曲形成して構成して、その中間板部を金具本体３の上部たる天板部４とし、両側の折曲板部を前記挟持部７としてこの各挟持部７間に前記締付ボルト８を架設し、この締付ボルト８のボルト先端に螺着したナット９を締付回動すると、前記天板部４と前記各挟持部７の境目の折縁３Ｂを介して各挟持部７が折曲されて対向間隔が狭められる構成としている。
【００３３】
また、この各挟持部７の下端を夫々の対向内側に向けて折曲してこの各折曲先端縁を前記ハゼ部２に当接して締付挟持する突き合せ縁部７Ａとしている。
【００３４】
本実施例では、図３，図４に示すように、この金具本体３の天板部４に取付孔10を貫通形成し、この取付孔10に対して、この金具本体３の下方の各挟持部７間からボルト先端を上方へ向けて挿脱自在に挿通することで、この取付ボルト６のボルト先端が金具本体３の上部より立設突設すると共に、この取付ボルト６のボルト頭部６Ａが金具本体３の上部裏面側に配置して上方へ抜け止め状態となるように構成し、この取付ボルト６のボルト先端にナット16を螺着してこのナット16とボルト頭部６Ａとで天板部４を挟持することで、取付ボルト６を取付孔10（天板部４）に対して下方へ脱落しない状態に装着できる構成としている。
【００３５】
本実施例では、この金具本体３の上部裏面側に配置する取付ボルト６のボルト頭部６Ａを回り止め状態に支持する回り止め金具11を前記各挟持部７間に配設すると共に、この回り止め金具11に各挟持部７間に架設した前記締付ボルト８を貫通させることで、この回り止め金具11を各挟持部７間に位置決めする構成としている。
【００３６】
具体的には、本実施例の回り止め金具11は、図３〜図６に示すように、前記金具本体３の前記取付孔10と連通して前記取付ボルト６を挿通し得る連通孔14を備えた基体11Ａの対向両側に、前記取付ボルト６のボルト頭部６Ａを挟持して取付ボルト６を回り止め状態に支持する頭部支持部12を垂設状態に設け、この各頭部支持部12を避けた基体11Ａの他の対向両側に、前記各挟持部７間に架設した前記締付ボルト８を貫通するボルト貫通部13を、前記頭部支持部12より下方へ略垂設状態に設けた構成としている。
【００３７】
更に詳しくは、回り止め金具11は、平面視略十文字状をなす一枚の金属板（基体11Ａ）を折曲形成して成るもので、この基体11Ａの中心部に前記連通孔14を貫通形成し、この連通孔14を境にした一方（前後）の対向片部を下方へ垂下折曲すると共に、この対向片部間の対向幅寸法を、図７に示すようにこの対向片部間にボルト頭部６Ａを配設するとボルト頭部６Ａを挟持して回り止め状態に支持し得る幅寸法に設定して、この前後の各対向片部を前記頭部支持部12としている。
【００３８】
また、頭部支持部12を除く他方（左右）の対向片部は、頭部支持部12を構成する前後の対向片部より長く突出する形状に形成し、この左右の対向片部を下方へやや斜設状態に垂下折曲すると共に、この左右の各対向片部に夫々前記締付ボルト８を貫通する貫通孔13Ａを形成して、この貫通孔13Ａを具備する左右の各対向片部を前記ボルト貫通部13としている。
【００３９】
また、この回り止め金具11は、その上部（前記連通孔14が形成されている平坦面部）を、前記金具本体３の前記天板部４の裏面に重合当接した際に、各挟持部７間に架設された前記締付ボルト８がボルト貫通部13の貫通孔13Ａに貫通可能となるように、締付ボルト８の架設位置や、ボルト貫通部13の垂下寸法や、貫通孔13の形成位置などを設定構成している（図４参照。）。
【００４０】
また、この回り止め金具11の、金具本体３への取付方法は、回り止め金具11の上部を、金具本体３の天板部４の裏面に重合当接して連通孔14を取付孔10とを位置合せし連通させてから、この連通する連通孔14と取付孔10とに、回り止め金具11の下方のボルト貫通部13間から前記取付ボルト６のボルト先端を上方へ向けて挿通して頭部支持部12にボルト頭部６Ａを回り止め状態に支持し、その後、締付ボルト８を各挟持部７間に架設すると同時にボルト貫通部13にも貫通することで回り止め金具11が位置決め状態で取付られる構成としている。
【００４１】
また、この際、この締付ボルト８によって回り止め金具11が水平方向に回動不能状態に位置決めされ、この位置決めされた回り止め金具11の頭部支持部12によって回り止め状態に支持されているボルト頭部６Ａ（取付ボルト６）も確固な回り止め状態となる構成としている。
【００４２】
また、本実施例では、前記締付ボルト８は、前記取付ボルト６の略真下に配置する構成として、この取付ボルト６を前記取付孔10から下方へ挿脱する際に取付ボルト６が締付ボルト８に接触して落下阻止される構成としている。
【００４３】
具体的には、締付ボルト８の軸芯と取付ボルト６の軸芯とが、同一鉛直線上に位置するように設定構成している。尚、特に、締付ボルト８の軸芯と取付ボルト６の軸芯とを同一鉛直線上に位置させずとも、取付ボルト６のボルト頭部６Ａと締付ボルト８のボルト杆との位置が上下方向で少しでも重なるように配設してあれば、取付ボルト６の落下阻止作用が得られるので、このように構成しても良い。
【００４４】
また、前記回り止め金具11の頭部支持部12は、各挟持部７間に架設した締付ボルト８の上側面よりやや下がった位置にまで垂設して、取付ボルト６が取付孔10に対し固定されないフリーな状態であってボルト頭部６Ａが下方の締付ボルト８に接触している状態でも、頭部支持部12により取付ボルト６が回り止め状態に支持されて、この取付ボルト６へのナット16などの螺着作業を容易に行える構成としている（図４参照。）。
【００４５】
また、本実施例では、この回り止め金具11の上部の左右幅寸法を、前記金具本体３の上部裏面の左右幅寸法と略合致する幅寸法に設定している。
【００４６】
具体的には、前記頭部支持部12を構成する前後の各対向片部の上縁部の幅寸法を、金具本体３の天板部４の左右幅寸法と略合致する幅寸法に設定している。
【００４７】
そして、この頭部支持部12を構成する前後の各対向片部の上縁部の左右側縁部（左右端部）を、前記天板部４と前記各挟持部７の境目の折縁３Ｂの位置に当接する折縁支持部17とし、前記締付ボルト８により各挟持部７間を幅狭くした際にはこの前後左右合計四箇所の各折縁支持部17が折縁３Ｂに裏面側から当接して支持するように作用して、この折縁３Ｂでの折曲動作が確実に行われて天板部４に歪みや変形を生じにくい構成としている。
【００４８】
従って、これにより天板部４に対し取付ボルト６が傾きを生じにくいため、計画した通りに設置物５を施工することが可能で、施工の安定化が実現することになる構成としている。
【００４９】
また、本実施例は、取付ボルト６の交換が可能な構成としている。
【００５０】
具体的には、締付ボルト８を各挟持部７から取り外すことで、取付ボルト６を取付孔10に対し下方へ挿脱して取り外しでき、径の異なる取付ボルト６や新しい取付ボルト６に交換可能である。
【００５１】
また、本実施例では、前記回り止め金具11に装着することで、径の異なる前記取付ボルト６のボルト頭部６Ａを回り止め状態に支持可能となる補助金具15を備えている。
【００５２】
具体的には、本実施例の補助金具15は、図８に示すように、断面コ字状に折曲形成した金属板で構成し、この断面コ字状の金属板の中間板部に前記連通孔14に連通するボルト通し孔18を貫通形成し、両側板部の対向幅寸法を、この両側板部が前記回り止め金具11の頭部支持部12によって回り止め支持される取付ボルト６（例えば、１０ｍｍ径）より径小な取付ボルト６（例えば、８ｍｍ径）のボルト頭部６Ａを挟持して回り止め状態に支持できる対向幅寸法であって、前記頭部支持部12間に回り止め状態で配設可能な対向幅寸法に構成している。
【００５３】
従って、この補助金具15を、頭部支持部12に配設してその中間板部を回り止め金具11の上部の裏面に重合してボルト通し孔18を連通孔14に連通させ、このボルト通し孔18と連通孔14と前記取付孔10とに、回り止め金具11の下方のボルト貫通部13間から前記取付ボルト６のボルト先端を上方へ向けて挿通することにより、図９に示すように頭部支持部12によって回り止め状態となっている補助金具15にボルト頭部６Ａが回り止め状態に支持される構成としている。
【００５４】
図中符号19は座金、20はバネ座金である。
【００５５】
尚、本発明は、本実施例に限られるものではなく、各構成要件の具体的構成は適宜設計し得るものである。
【図面の簡単な説明】
【００５６】
【図１】本実施例の使用状態を示す斜視図である。
【図２】本実施例を示す斜視図である。
【図３】本実施例の分解斜視図である。
【図４】本実施例の説明正断面図である。
【図５】本実施例の折版構造屋根への固定状態を示す説明正面図である。
【図６】本実施例の締付ボルト締付時における金具本体の天板部と回り止め金具の上部との関係を示す説明正断面図である。
【図７】本実施例の取付ボルトの回り止め状態を示す一部を省略した説明底面図である。
【図８】本実施例の、径小な取付ボルトを使用する場合の分解斜視図である。
【図９】本実施例の、径小な取付ボルトの回り止め状態を示す一部を省略した説明底面図である。
【符号の説明】
【００５７】
１  折版構造屋根
２  ハゼ部
３  金具本体
３Ａ  板材
３Ｂ  折縁
４  天板部
５  設置物
６  取付ボルト
６Ａ  ボルト頭部
７  挟持部
８  締付ボルト
９  ナット
10  取付孔
11  回り止め金具
11Ａ  基体
12  頭部支持部
13  ボルト貫通部
14  連通孔
15  補助金具
【図１】
0004796680.tif 000002
【図２】
0004796680.tif 000003
【図３】
0004796680.tif 000004
【図４】
0004796680.tif 000005
【図５】
0004796680.tif 000006
【図６】
0004796680.tif 000007
【図７】
0004796680.tif 000008
【図８】
0004796680.tif 000009
【図９】
0004796680.tif 000010